(57)【要約】【課題】簡単な構造で端子台近傍からの出火した場合にも外部への延焼を防止することができる空気調和機の室外ユニットを提供すること。【解決手段】本発明の空気調和機の室外ユニットは、内外接続電線を挿入するための開口部と、開口部の近傍に切り欠きと、開口部を覆う保護カバーと、保護カバーを覆うように取り付ける電装部カバーとを備えた空気調和機の室外ユニットであって、保護カバーの一部を切り欠きに挿入して開口部の近傍に固定するとともに、電装部カバーを開口部の上端辺を挟み込むように取り付けること。【選択図】図１
2011257030.tif 000002
【特許請求の範囲】
【請求項１】
内外接続電線を挿入するための開口部と、前記開口部の近傍に切り欠きと、前記開口部を覆う保護カバーと、前記保護カバーを覆うように取り付ける電装部カバーとを備えた空気調和機の室外ユニットであって、前記保護カバーの一部を前記切り欠きに挿入して前記開口部の近傍に固定するとともに、前記電装部カバーを前記開口部の上端辺を挟み込むように取り付けることを特徴とする空気調和機の室外ユニット。
【請求項２】
内外接続電線を接続する端子台を備え、前記切り欠きを前記端子台よりも下部に配設した構成とする請求項１に記載の空気調和機の室外ユニット。
【請求項３】
前記保護カバーの前記切り欠きに挿入される部分の端部に折り曲げ部を設ける構成とする請求項１または２に記載の空気調和機の室外ユニット。
【請求項４】
前記折り曲げ部の角を斜めに切除したことを特徴とする請求項３に記載の空気調和機の室外ユニット。
【発明の詳細な説明】
【技術分野】
【０００１】
本発明は、空気調和機の室外ユニットに関するものである。
【背景技術】
【０００２】
従来、この種の空気調和機の室外ユニットには、室内ユニットと室外ユニット間を連結し電源および信号を供給する内外接続電線を外装部品の開口部近傍に固定され室外ユニット内部に収納される電源板に設置された端子台に接続し、内外接続電線を板金からなる電線押さえ具を兼用する保護カバーで電源板に固定し、さらに外装部品の開口部を覆うように樹脂成形品からなる電装部カバーを取り付けて構成されているものがあった（例えば、特許文献１参照）。
【０００３】
図１１および図１２は、特許文献１に記載された従来の空気調和機の室外ユニットを示す一部を省略した断面図である。
図１１および図１２に示すように、従来の空気調和機の室外ユニットは端子台３が外装部品２に設けられた内外接続電線４を接続するための開口部２ａ近傍に固定されて室外ユニット１の内部に収納される電源板５に固定され、前記端子台３に前記内外接続電線４を接続した後に板金からなり一部に電源押さえ具を構成し前記端子台を覆うように形成された保護カバー６で前記電源板５に固定し、さらに前記開口部２ａの近傍には凹部２ｂを形成し前記凹部２ｂに前記開口部２ａを覆いかつ前記凹部２ｂの上端辺を挟み込むように樹脂成形品からなる電装部カバー７を取り付けて使用される。
【０００４】
上記の構成により室外ユニットは、内外接続電線の接続不良やヤモリなどの侵入感電により端子台近傍で出火した場合にも板金からなる保護カバーにより室外ユニット外部への延焼を防ぐことができ、また外装部品に設けた凹部に電装部カバーを取り付けることにより雨水が室外ユニット内部へ侵入しにくくして安全性を向上するとともに美観を向上することができた。
【０００５】
また、従来の他の空気調和機の室外ユニットには、端子台を外装部品の開口部近傍に設置して内外接続電線を板金からなり電線押さえ具を兼用する保護カバーで外装部品に固定し、さらに外装部品の開口部を覆うように樹脂成形品からなる電装部カバーを取り付けて構成されているものがあった。
【０００６】
図１３および図１４は、上記従来の他の空気調和機の室外ユニットを示す一部を省略した断面図である。
図１３および図１４に示すように、従来の他の空気調和機の室外ユニットは端子台３が外装部品２に設けられた内外接続電線４を接続するための開口部２ａ近傍に固定され、前記端子台３に前記内外接続電線４を接続した後に板金からなり一部に電源押さえ部を設けて前記端子台を覆うように形成された保護カバー６で前記開口部２ａの近傍に固定し、さらに前記開口部２ａの近傍には凹部２ｂを形成し前記凹部２ｂに前記開口部２ａを覆いかつ前記凹部２ｂの上端辺を挟み込むように樹脂成形品からなる電装部カバー７を取り付けて使用される。
【０００７】
上記の構成により室外ユニットは、内外接続電線の接続不良やヤモリなどの侵入感電により端子台近傍で出火した場合にも板金からなる保護カバーにより室外ユニット外部への延焼を防ぐことができ、また外装部品に設けた凹部に電装部カバーを取り付けることにより雨水が室外ユニット内部へ侵入しにくくして安全性を向上するとともに美観を向上することができた。
【先行技術文献】
【特許文献】
【０００８】
【特許文献１】特開２００２−１０６８８６号公報
【発明の概要】
【発明が解決しようとする課題】
【０００９】
しかしながら、前記従来の構成では、樹脂製の電装部カバーの上端が外装部品の開口部近傍に形成された凹部の上端辺を挟み込んで取り付けられるために、板金製の保護カバーの上部は電装部カバーに沿って外装部品の内部に入り込んだ形状となり外装部品の開口部よりも幅を狭く形成する必要があり、端子台近傍からの出火が大きい場合には外装部品と保護カバーの隙間から樹脂製の電装部カバーに延焼する可能性があるという課題を有していた。
【００１０】
本発明は、前記従来の課題を解決するもので、簡単な構造で端子台近傍からの出火した場合にも外部への延焼を防止することができる空気調和機の室外ユニットを提供することを目的とする。
【課題を解決するための手段】
【００１１】
前記従来の課題を解決するために、本発明の空気調和機の室外ユニットは、内外接続電線を挿入するための開口部と、開口部の近傍に切り欠きと、開口部を覆う保護カバーと、保護カバーを覆うように取り付ける電装部カバーとを備えた空気調和機の室外ユニットであって、保護カバーの一部を切り欠きに挿入して開口部の近傍に固定するとともに、電装部カバーを開口部の上端辺を挟み込むように取り付けることにより、簡単な構造で端子台近傍からの出火した場合にも外部への延焼を防止することができ、信頼性の高い空気調和機をユーザーに安価に提供することができる。
【発明の効果】
【００１２】
本発明は、簡単な構造で端子台近傍からの出火した場合にも外部への延焼を防止することができる空気調和機の室外ユニットを提供することができる。
【図面の簡単な説明】
【００１３】
【図１】本発明の実施の形態１における室外ユニットを示す一部を省略した断面図
【図２】同実施の形態１における室外ユニットを示す一部を省略した断面図
【図３】本発明の実施の形態２における室外ユニットを示す一部を省略した断面図
【図４】同実施の形態２における室外ユニットを示す一部を省略した断面図
【図５】本発明の実施の形態３における室外ユニットを示す一部を省略した断面図温度センサ固定装置の斜視図
【図６】同実施の形態３における室外ユニットを示す一部を省略した断面図
【図７】本発明の実施の形態４における室外ユニットを示す一部を省略した断面図温度センサ固定装置の斜視図
【図８】同実施の形態４における室外ユニットを示す一部を省略した断面図
【図９】本発明の実施の形態５における室外ユニットを示す一部を省略した断面図
【図１０】同実施の形態５における室外ユニットを示す一部を省略した断面図
【図１１】従来の空気調和機の室外ユニットを示す一部を省略した断面図
【図１２】従来の空気調和機の室外ユニットを示す一部を省略した断面図
【図１３】従来の他の空気調和機の室外ユニットを示す一部を省略した断面図
【図１４】従来の他の空気調和機の室外ユニットを示す一部を省略した断面図
【発明を実施するための形態】
【００１４】
第１の発明の空気調和機の室外ユニットは、内外接続電線を挿入するための開口部と、開口部の近傍に切り欠きと、開口部を覆う保護カバーと、保護カバーを覆うように取り付ける電装部カバーとを備えた空気調和機の室外ユニットであって、保護カバーの一部を切り欠きに挿入して開口部の近傍に固定するとともに、電装部カバーを開口部の上端辺を挟み込むように取り付けることにより、簡単な構造で端子台近傍からの出火した場合にも外部への延焼を防止することができ、信頼性の高い空気調和機をユーザーに安価に提供することができる。
【００１５】
第２の発明の空気調和機の室外ユニットは、特に第１の発明において、内外接続電線を接続する端子台を備え、切り欠きを端子台よりも下部に配設したことにより、簡単な構造で端子台近傍からの出火した場合にも外部への延焼をより確実に防止することができ、信頼性の高い空気調和機をユーザーに安価に提供することができる。
【００１６】
第３の発明の空気調和機の室外ユニットは、特に第１または第２の発明において、保護カバーの切り欠きに挿入される部分の端部に折り曲げ部を設けることにより、簡単な構造で端子台近傍からの出火した場合にも外部への延焼をより確実に防止することができ、信頼性の高い空気調和機をユーザーに安価に提供することができる。
【００１７】
第４の発明の空気調和機の室外ユニットは、特に第３の発明において、折り曲げ部の角を斜めに切除したことにより、簡単な構造で取り付けを容易にすることができ、信頼性の高い空気調和機をユーザーに安価に提供することができる。
【００１８】
以下、本発明の実施の形態について、図面を参照しながら説明する。なお、この実施の形態によって本発明が限定されるものではない。
【００１９】
（実施の形態１）
図１および図２は、本発明の第１の実施の形態における空気調和機の室外ユニットを示す一部を省略した断面図である。図１および図２において、従来の技術の図１１〜図１４と同じ構成要素については同じ符号を用い、説明を省略する。
【００２０】
図１、図２において、室外ユニット１は端子台３を外装部品２に設けられた開口部２ａ近傍に固定し、開口部２ａの近傍には凹部２ｂを形成しさらに凹部２ｂに切り欠き２ｃを設けて、板金からなり一部に電源押さえ部を設けかつ幅Ａを外装部品２の開口部２ａの幅Ｂよりも広くかつ前記切り欠き２ｃの幅Ｃよりも狭く形成された保護カバー６を開口部２ａの近傍に切り欠き２ｃに挿入して固定し、さらに凹部２ｂに開口部２ａを覆いかつ凹部２ｂの上端辺を挟み込むように樹脂成形品からなる電装部カバー７を嵌め合わせて取り付け構成されている。
【００２１】
以上のように構成された空気調和機の室外ユニットについて、以下その動作、作用を説明する。
【００２２】
保護カバー６は、外装部品２の開口部２ａの幅Ｂよりも広くかつ前記切り欠き２ｃの幅Ｃよりも狭く形成され開口部２ａの近傍に切り欠き２ｃに挿入して固定されることで、外装部品２の開口部２ａの切り欠き２ｃと保護カバー６の隙間のみを除いて全体を覆うことができ、端子台３近傍からの出火が発生した場合にも樹脂形成品である電装部カバー７が直接炎に曝されることを防ぎ、外部への延焼を防止することができる。
【００２３】
以上のように、本実施の形態においては、室外ユニットを端子台が外装部品に設けられた室内ユニットと室外ユニット間を連結し電源および信号を供給する内外接続電線を接続するための開口部近傍に固定され、前記開口部の近傍には凹部を形成し前記凹部に切り欠
きを設け、板金からなり一部に電源押さえ部を設けかつ幅を前記外装部品の開口部の幅よりも広くかつ前記切り欠きの幅よりも狭く形成された保護カバーを前記切り欠きに挿入して前記開口部の近傍に固定し、さらに前記開口部を覆いかつ凹部の上端辺を挟み込むように樹脂成形品からなる電装部カバーを取り付ける構成とすることにより、簡単な構造で端子台近傍からの出火した場合にも外部への延焼を防止することができ、信頼性の高い空気調和機をユーザーに安価に提供することができる。
【００２４】
（実施の形態２）
図３および図４は、本発明の第２の実施の形態における空気調和機の室外ユニットを示す一部を省略した断面図である。図３および図４において、図１、図２、図１１〜図１４と同じ構成要素については同じ符号を用い、説明を省略する。
【００２５】
図３、図４において、室外ユニット１は、本発明の第１の実施の形態における凹部２ｂに設けた切り欠き２ｃが端子台３よりも下部に配設されている。
【００２６】
以上のように構成された空気調和機の室外ユニットにおいては、端子台３近傍からの出火が発生した場合にも炎は上方に上り易いため端子台３よりも下部に配設された切り欠き２ｃを通して樹脂形成品である電装部カバー７が直接炎に曝され難く、より確実に外部への延焼を防止することができる。
【００２７】
以上のように、本実施の形態においては、本発明の第１の実施の形態における凹部に設けた切り欠きを端子台よりも下部に配設した構成とすることにより、簡単な構造で端子台近傍からの出火した場合にも外部への延焼をより確実に防止することができ、信頼性の高い空気調和機をユーザーに安価に提供することができる。
【００２８】
（実施の形態３）
図５および図６は、本発明の第３の実施の形態における空気調和機の室外ユニットを示す一部を省略した断面図である。図５および図６において、図１〜図４、図１１〜図１４と同じ構成要素については同じ符号を用い、説明を省略する。
【００２９】
図５、図６において、室外ユニット１は、本発明の第１〜２の実施の形態における保護カバー６が凹部２ｂに設けた切り欠き２ｃより外装部品２の内側に挿入される部分６ａの端部に前記外装部品２の内側に向かう折り曲げ部６ｂを設けて構成されている。
【００３０】
このように構成された空気調和機の室外ユニットにおいては、端子台３近傍からの出火が発生した場合にも保護カバー６の端部に設けた折り曲げ部６ｂにより炎が横から回りこむことを防止し、より確実に外部への延焼を防止することができる。
【００３１】
以上のように、本実施の形態においては、本発明の第１〜２の実施の形態における保護カバーを凹部に設けた切り欠きより外装部品の内側に挿入される部分の端部に前記外装部品の内側に向かう折り曲げ部を設ける構成とすることにより、簡単な構造で端子台近傍からの出火した場合にも外部への延焼をより確実に防止することができ、信頼性の高い空気調和機をユーザーに安価に提供することができる。
【００３２】
（実施の形態４）
図７および図８は、本発明の第４の実施の形態における空気調和機の室外ユニットを示す一部を省略した断面図である。図７および図８において、図１〜図６、図１１〜図１４と同じ構成要素については同じ符号を用い、説明を省略する。
【００３３】
図７、図８において、室外ユニット１は、本発明の第１〜２の実施の形態のいずれかに
おける保護カバー６が凹部２ｂに設けた切り欠き２ｃより外装部品２の内側に挿入される部分６ａの端部に前記外装部品２の外側に向かう折り曲げ部６ｂを設けて構成されている。
以上のように構成された空気調和機の室外ユニットにおいては、端子台３近傍からの出火が発生した場合にも保護カバー６の端部に設けた折り曲げ部６ｂにより炎が横から回りこむことを防止し、より確実に外部への延焼を防止することができる。
【００３４】
以上のように、本実施の形態においては、本発明の第１〜２の実施の形態のいずれかにおける保護カバーを凹部に設けた切り欠きより外装部品の内側に挿入される部分の端部に前記外装部品の外側に向かう折り曲げ部を設ける構成とすることにより、簡単な構造で端子台近傍からの出火した場合にも外部への延焼をより確実に防止することができ、信頼性の高い空気調和機をユーザーに安価に提供することができる。
【００３５】
（実施の形態５）
図９および図１０は、本発明の第５の実施の形態における空気調和機の室外ユニットを示す一部を省略した断面図である。図９および図１０において、図１〜図８、図１１〜図１４と同じ構成要素については同じ符号を用い、説明を省略する。
【００３６】
図９、図１０において、室外ユニット１は、本発明の第３〜４の実施の形態のいずれかにおける保護カバー６の端部に設けた折り曲げ部６ｂの角を斜めに切除して構成されている。
【００３７】
このように構成された空気調和機の室外ユニットにおいては、保護カバー６の端部に設けた折り曲げ部６ｂの角を斜めに切除されているため、外装部品２の切り欠き２ｃを通して着脱する場合に引っかからず取り付けを容易にすることができる。
【００３８】
以上のように、本実施の形態においては、本発明の第３〜４の実施の形態のいずれかにおける保護カバーの端部に設けた折り曲げ部の角を斜めに切除して構成することにより、簡単な構造で取り付けを容易にすることができ、信頼性の高い空気調和機をユーザーに安価に提供することができる。
【産業上の利用可能性】
【００３９】
以上のように、本発明にかかる空気調和機の室外ユニットは、簡単な構造で端子台近傍からの出火した場合にも外部への延焼を防止することが可能となるので、給湯機など屋外設置機器等の用途にも適用できる。
【符号の説明】
【００４０】
１  室外ユニット
２  外装部品
２ａ  開口部
２ｂ  凹部
２ｃ  切り欠き
３  端子台
４  内外接続電線
６  保護カバー
６ｂ  折り曲げ部
７  電装部カバー
【図１】
2011257030.tif 000003
【図２】
2011257030.tif 000004
【図３】
2011257030.tif 000005
【図４】
2011257030.tif 000006
【図５】
2011257030.tif 000007
【図６】
2011257030.tif 000008
【図７】
2011257030.tif 000009
【図８】
2011257030.tif 000010
【図９】
2011257030.tif 000011
【図１０】
2011257030.tif 000012
【図１１】
2011257030.tif 000013
【図１２】
2011257030.tif 000014
【図１３】
2011257030.tif 000015
【図１４】
2011257030.tif 000016